(57)【要約】【課題】寝室に滞在する高齢者等のユーザが寝室から他の空間へ移動する際の移動負担を大いに低減させることができるとともに、ユーザに寝室に隔離された感覚を抱かせてしまうのを抑制することができる住宅を提供する。【解決手段】住宅は、四方が４つの仕切壁４５〜４８で囲まれた主寝室２０と、主寝室２０と仕切壁４５〜４８を隔てて隣接する廊下１２、ＬＤＫ１３、居室１４及び通路３４とを備える。仕切壁４５には、主寝室２０から通路３４への出入口５１が設けられ、仕切壁４６には、主寝室２０からＬＤＫ１３への出入口５３が設けられ、仕切壁４７には、主寝室２０から廊下１２への出入口５５が設けられ、仕切壁４８には、主寝室２０から居室１４への出入口５７が設けられている。【選択図】      図３
2018178649.tif 000002
【特許請求の範囲】
【請求項１】
四方が４つの壁部で囲まれた寝室を備える住宅であって、
前記壁部を隔てて前記寝室と隣接する隣接空間を備え、
前記隣接空間は、前記各壁部ごとに設けられ、
前記各壁部にはそれぞれ前記寝室から前記隣接空間へ出入りするための出入口が設けられていることを特徴とする住宅。
【請求項２】
前記複数の隣接空間はいずれも屋内空間であることを特徴とする請求項１に記載の住宅。
【請求項３】
前記各出入口にはそれぞれ出入口を開閉する開閉体が設けられ、
前記各出入口のうちトイレへ行き来する際に用いるトイレ側の出入口には、前記開閉体として第１開閉体が設けられ、それ以外の各出入口には前記開閉体として第２開閉体が設けられ、
前記第１開閉体は、その幅が前記各第２開閉体よりも小さくされていることを特徴とする請求項１又は２に記載の住宅。
【請求項４】
前記第１開閉体は、開き戸又は一の引き戸からなり、
前記各第２開閉体はいずれも、複数の引き戸が引き違いで設けられた引き違い戸からなることを特徴とする請求項３に記載の住宅。
【請求項５】
前記寝室にはベッドが設けられ、
前記ベッドは、当該ベッド上で横になるユーザの頭が前記トイレ側の出入口が設けられている前記壁部の側を向くように配置され、
前記ベッドの左右幅方向における前記寝室を挟んだ両側にはそれぞれ前記隣接空間として居室空間が設けられていることを特徴とする請求項３又は４に記載の住宅。
【請求項６】
前記隣接空間として、前記寝室とは反対側で屋外に隣接する縁側空間を備え、
前記縁側空間の延びる方向において前記寝室を挟んだ両側にある前記各隣接空間には前記縁側空間を通じて相互に行き来が可能となっていることを特徴とする請求項１乃至５のいずれか一項に記載の住宅。
【請求項７】
前記縁側空間の延びる方向において当該縁側空間を挟んだ両側には当該縁側空間よりも屋外側に張り出した一対の張出部が設けられていることを特徴とする請求項６に記載の住宅。
【請求項８】
屋内空間として、前記寝室を囲むようにして設けられた複数の寝室周囲空間を備え、
前記複数の寝室周囲空間には前記各隣接空間が含まれており、
前記複数の寝室周囲空間には、隣り合う寝室周囲空間の間に設けられた開口部を通じて、相互に行き来することが可能となっていることを特徴とする請求項１乃至７のいずれか一項に記載の住宅。
【発明の詳細な説明】
【技術分野】
【０００１】
本発明は、寝室を備えた住宅に関するものである。
【背景技術】
【０００２】
住宅において、高齢者や病人等、自由に移動することが困難な居住者が居住している場合、その居住者は寝室で体を休めながら過ごす時間が多くなると考えられる。特許文献１には、こうした場合を想定して、寝室にトイレを隣接させ、寝室からトイレへの行き来を容易にした住宅が開示されている。これによれば、寝室で過ごすことの多い高齢者等がトイレへ移動する際の移動負担を低減することができる。
【先行技術文献】
【特許文献】
【０００３】
【特許文献１】特開２０１２−２６２６６号公報
【発明の概要】
【発明が解決しようとする課題】
【０００４】
ところで、寝室で過ごす高齢者等は、トイレだけでなく、キッチンや玄関等、他の空間へ移動することもある。そのため、トイレ以外の空間への移動に際しても、その移動負担を低減させるのが本来望ましい。しかしながら、上記特許文献１の住宅では、その点に関する配慮が何もなされてはいない。
【０００５】
また、寝室で過ごす高齢者等は、他の居住者から離れた部屋で過ごすことになるため、寝室に隔離された感覚を受けてしまうおそれがある。その場合、高齢者等にいわゆる引きこもり等を生じさせてしまうおそれがある。
【０００６】
本発明は、上記事情に鑑みてなされたものであり、寝室に滞在する高齢者等のユーザが寝室から他の空間へ移動する際の移動負担を大いに低減させることができるとともに、ユーザに寝室に隔離された感覚を抱かせてしまうのを抑制することができる住宅を提供することを主たる目的とするものである。
【課題を解決するための手段】
【０００７】
上記課題を解決すべく、第１の発明の住宅は、四方が４つの壁部で囲まれた寝室を備える住宅であって、前記壁部を隔てて前記寝室と隣接する隣接空間を備え、前記隣接空間は、前記各壁部ごとに設けられ、前記各壁部にはそれぞれ前記寝室から前記隣接空間へ出入りするための出入口が設けられていることを特徴とする。
【０００８】
本発明によれば、寝室の四方を囲む各壁部にそれぞれ隣接空間に通じる出入口が設けられているため、それら各出入口を通じて寝室から他の空間へ移動することが可能となる。これにより、ユーザが寝室からいずれの空間へ移動する際にも、移動負担を低減することが可能となる。そのため、ユーザの移動負担を大いに低減させることができる。また、寝室の４面に出入口が設けられているため、寝室にいるユーザに他の空間とのつながりを感じさせ易くすることができる。これにより、寝室にいるユーザに隔離された感覚を抱かせてしまうのを抑制することができる。
【０００９】
第２の発明の住宅は、第１の発明において、前記複数の隣接空間はいずれも屋内空間であることを特徴とする。
【００１０】
本発明によれば、各出入口を通じて寝室から他の屋内空間へ移動することができる。これにより、ユーザが寝室からいずれの屋内空間へ移動する際にも、その移動負担を低減することが可能となる。また、寝室の４面に設けられた出入口により、寝室にいるユーザに他の屋内空間にいる居住者とのつながりを感じさせ易くすることができる。これにより、ユーザに隔離された感覚を抱かせてしまうのをより一層抑制することができる。
【００１１】
第３の発明の住宅は、第１又は第２の発明において、前記各出入口にはそれぞれ出入口を開閉する開閉体が設けられ、前記各出入口のうちトイレへ行き来する際に用いるトイレ側の出入口には、前記開閉体として第１開閉体が設けられ、それ以外の各出入口には前記開閉体として第２開閉体が設けられ、前記第１開閉体は、その幅が前記各第２開閉体よりも小さくされていることを特徴とする。
【００１２】
本発明によれば、寝室の各出入口に設けられた開閉体のうち、トイレ側の第１開閉体については、その幅が他の開閉体（第２開閉体）よりも小さくされている。この場合、寝室の四方に開閉体が設けられた構成にあって、第１開閉体を見分け易くすることができる。そのため、高齢者等のユーザが寝室からトイレへ移動する際、誤って別の開閉体（つまり第２開閉体）を開け閉めしてしまう事態を生じにくくすることができる。
【００１３】
第４の発明の住宅は、第３の発明において、前記第１開閉体は、開き戸又は一の引き戸からなり、前記各第２開閉体はいずれも、複数の引き戸が引き違いで設けられた引き違い戸からなることを特徴とする。
【００１４】
本発明によれば、第１開閉体が開き戸又は一の引き戸からなり、第２開閉体が引き違い戸からなるため、第１開閉体をより一層見分け易くすることができる。また、第２開閉体が引き違い戸からなるため、トイレ側の出入口以外の各出入口については引き違い戸を開くことで幅広の開口とすることができる。これにより、寝室にいるユーザはその幅広の開口を通じて隣接空間の様子を確認し易くなるため、そのユーザに隔離された感覚を抱かせてしまうのをより一層抑制することができる。
【００１５】
第５の発明の住宅は、第３又は第４の発明において、前記寝室にはベッドが設けられ、前記ベッドは、当該ベッド上で横になるユーザの頭が前記トイレ側の出入口が設けられている前記壁部の側を向くように配置され、前記ベッドの左右幅方向における前記寝室を挟んだ両側にはそれぞれ前記隣接空間として居室空間が設けられていることを特徴とする。
【００１６】
本発明によれば、ベッド上で横になるユーザの頭の側にトイレ側の出入口が設けられた壁部があるため、ベッド上のユーザの左右両側及び足下側にはそれぞれ幅広の出入口が配置される。この場合、ユーザがベッド上で横になった状態で上記幅広の出入口を通じて３方の隣接空間の様子を確認することが可能となる。そのため、ユーザが寝たきり状態等にあってもユーザに隔離された感覚を抱かせてしまうのを抑制することができる。
【００１７】
また、ベッドの左右幅方向における寝室を挟んだ両側にはそれぞれ居室空間が設けられているため、ユーザはベッド上で横になったまま幅広の出入口を通じて左右の居室空間を見ることができる。つまり、この場合、他の居住者等が滞在することが想定される居室空間の様子を横になったまま見ることができる。そのため、ユーザが寝たきり状態等にあっても他の居住者等とのつながりを感じさせ易くすることができる。
【００１８】
第６の発明の住宅は、第１乃至第５のいずれかの発明において、前記隣接空間として、前記寝室とは反対側で屋外に隣接する縁側空間を備え、前記縁側空間の延びる方向において前記寝室を挟んだ両側にある前記各隣接空間には前記縁側空間を通じて相互に行き来が可能となっていることを特徴とする。
【００１９】
本発明によれば、寝室に隣接する隣接空間として、寝室とは反対側で屋外に隣接する縁側空間が設けられている。寝室と縁側空間とは出入口を介して通じているため、この場合、ユーザの友人や知人等が訪れた際には、その友人等が縁側空間の床上に腰掛けた状態でユーザと会話等することが可能となる。これにより、ユーザが寝室で横になったままでも、友人等とのコミュニケーションを好適に図ることが可能となる。
【００２０】
また、縁側空間の延びる方向において寝室を挟んだ両側にある各隣接空間には縁側空間を通じて行き来が可能となっている。この場合、寝室を経由せずに各隣接空間の間を行き来することができるため、ユーザ以外の者（例えばユーザの介護者）は寝室で過ごすユーザに迷惑をかけることなく上記各隣接空間の間を移動することができる。
【００２１】
第７の発明の住宅は、第６の発明において、前記縁側空間の延びる方向において当該縁側空間を挟んだ両側には当該縁側空間よりも屋外側に張り出した一対の張出部が設けられていることを特徴とする。
【００２２】
本発明によれば、縁側空間の延びる方向において当該縁側空間を挟んだ両側に当該縁側空間よりも屋外側に張り出した一対の張出部が設けられている。この場合、それら張出部により、屋外から出入口を介した寝室への視線を遮ることできる。これにより、寝室にいるユーザは一定のプライバシ性を確保しながら友人等とコミュニケーションを図ることが可能となる。
【００２３】
第８の発明の住宅は、第１乃至第７のいずれかの発明において、屋内空間として、前記寝室を囲むようにして設けられた複数の寝室周囲空間を備え、前記複数の寝室周囲空間には前記各隣接空間が含まれており、前記複数の寝室周囲空間には、隣り合う寝室周囲空間の間に設けられた開口部を通じて、相互に行き来することが可能となっていることを特徴とする。
【００２４】
本発明によれば、寝室を囲むようにして複数の寝室周囲空間が設けられ、それら各寝室周囲空間には、隣り合う寝室周囲空間の間の開口部を通じて相互に行き来することが可能となっている。この場合、ユーザ以外の者（例えばユーザの介護者）がいずれの寝室周囲空間に移動する際にも、寝室を経由せずに移動することができるため、寝室にいるユーザに迷惑をかけることなく各寝室周囲空間に移動することができる。
【図面の簡単な説明】
【００２５】
【図１】住宅の間取りを示す平面図。
【図２】住宅の間取りを示す斜視図。
【図３】主寝室周辺を拡大して示す平面図。
【図４】他の実施形態における住宅の間取りを示す平面図。
【発明を実施するための形態】
【００２６】
以下に、本発明を具体化した一実施の形態について図面を参照しつつ説明する。本実施形態では、住宅が平屋建てとなっており、その住宅に居住者として高齢者の夫婦が居住していることを想定している。また、高齢者夫婦（居住者夫婦）のうちいずれかは高齢のため自由に移動することが困難であり、そのため、その居住者については主寝室２０にて過ごす時間が多いことを想定している。なお、図１は、住宅の間取りを示す平面図であり、図２は住宅の間取りを示す斜視図である。また、図１における上下方向が南北方向、図１における左右方向が東西方向となっている。
【００２７】
図１に示すように、住宅１０は、その平面視において略矩形形状をなしている。住宅１０は、屋内空間として、玄関１１と、廊下１２と、ＬＤＫ１３と、居室１４と、トイレ１５と、洗面室１６と、浴室１７と、収納室１８と、主寝室２０とを備える。本住宅１０では、それら各屋内空間のうち、主寝室２０が平面視にて住宅１０の中央部に配置され、それ以外の屋内空間１１〜１８が主寝室２０を囲むようにして主寝室２０の周囲に配置されている。なお、ＬＤＫ１３と居室１４とが「居室空間」に相当し、主寝室２０が「寝室」に相当する。
【００２８】
まず、主寝室２０の周囲に配置された各屋内空間１１〜１８の間取りについて説明する。
【００２９】
玄関１１は、住宅１０において南東の角部に設けられている。玄関１１には玄関口２１が設けられており、その玄関口２１を通じて屋外側の玄関ポーチ２２より玄関１１に出入りが可能となっている。
【００３０】
玄関１１は廊下１２に隣接しており、その廊下１２は主寝室２０の南側に隣接して設けられている。また、廊下１２はＬＤＫ１３に通じており、そのＬＤＫ１３は主寝室２０の西側に隣接して設けられている。なお、廊下１２（詳しくは後述する縁側１２ａ）とＬＤＫ１３とがそれぞれ「隣接空間」に相当する。
【００３１】
ＬＤＫ１３（リビングダイニングキッチン）は、リビング１３ａとダイニング１３ｂとキッチン１３ｃとを有しており、それら各空間１３ａ〜１３ｃが互いに連続する連続空間となっている。ＬＤＫ１３は、住宅１０の西側に設けられ、南北に延びている。ＬＤＫ１３において、リビング１３ａとダイニング１３ｂとキッチン１３ｃとは南北に並んで配置され、詳しくは南側から北側に向かってリビング１３ａ、ダイニング１３ｂ、キッチン１３ｃの順に配置されている。
【００３２】
ＬＤＫ１３における各空間１３ａ〜１３ｃのうち、リビング１３ａが廊下１２に隣接しており、ダイニング１３ｂが主寝室２０に隣接している。リビング１３ａと廊下１２との間には出入口２４が設けられている。出入口２４には開き戸からなる開閉体２５が設けられている。なお、リビング１３ａの南側には、外壁２３を隔ててテラス２６が隣接して設けられている。
【００３３】
主寝室２０を挟んでＬＤＫ１３（詳しくはダイニング１３ｂ）とは反対側には居室１４が設けられている。居室１４は、住宅１０の東側に設けられ、主寝室２０の東側に隣接している。この場合、ＬＤＫ１３と主寝室２０と居室１４とは東西方向に並んでいる。以下においては、これら各空間１３，１４，２０が並ぶ方向を第１方向ともいい、（平面視で）第１方向と直交する方向を第２方向ともいう。本住宅１０では第２方向が南北方向となっている。なお、居室１４が「隣接空間」に相当する。
【００３４】
居室１４には、ベッド１４ａが設けられている。本住宅１０では、居室１４がゲストルーム（客室）として用いられるようになっており、本住宅１０に訪れる客（訪問客）がこの居室１４で寝泊まりできるようになっている。例えば、訪問客としては、居住者の子供夫婦や親戚等が挙げられる。また、ベッド１４ａは、足下側が主寝室２０の方を向く向きで配置されている。
【００３５】
居室１４は、その南側で廊下１２に隣接している。居室１４と廊下１２との間には出入口２７が設けられ、その出入口２７には引き違い戸からなる開閉体２８が設けられている。また、居室１４の北側には収納室１８が設けられている。収納室１８は、住宅１０における北東部の角部に配置されている。居室１４と収納室１８との間には出入口３１が設けられ、その出入口３１には引き戸からなる開閉体３２が設けられている。
【００３６】
主寝室２０を挟んで廊下１２とは反対側にはトイレ１５、洗面室１６及び浴室１７が設けられている。トイレ１５、洗面室１６及び浴室１７はいずれも水廻り空間であり、住宅１０の北側に設けられている。各水廻り空間１５〜１７は東西方向に並んで配置され、詳しくは西側から東側に向かってトイレ１５、洗面室１６、浴室１７の順に配置されている。また、廊下１２と主寝室２０と水廻り空間１５〜１７とは南北方向に並んでおり、換言すると第２方向に並んでいる。
【００３７】
各水廻り空間１５〜１７のうち、洗面室１６及び浴室１７は主寝室２０の北側に隣接しており、トイレ１５は主寝室２０から北側に離間している。トイレ１５と主寝室２０との間にはＬＤＫ１３（キッチン１３ｃ）から延びる通路３４が設けられている。通路３４とトイレ１５との間には出入口３６が設けられ、その出入口３６には開き戸からなる開閉体３７が設けられている。なお、通路３４が「隣接空間」に相当する。
【００３８】
通路３４の先には、洗面室１６が設けられている。通路３４と洗面室１６との間には出入口３８が設けられ、その出入口３８には引き戸からなる開閉体３９が設けられている。また、洗面室１６と浴室１７との間には出入口４１が設けられ、その出入口４１には折り戸からなる開閉体４２が設けられている。なお、浴室１７は、その東側で収納室１８と隣接している。
【００３９】
以上のように、主寝室２０の周囲には各屋内空間１１〜１８，３４が設けられ、それら各屋内空間１１〜１８，３４には、隣り合う屋内空間の間の出入口２４，２７，３１，３６，３８，４１を通じて、相互に行き来することが可能となっている。この場合、主寝室２０の周囲の各屋内空間１１〜１８，３４がそれぞれ「寝室周囲空間」に相当し、隣り合う屋内空間の間の各出入口２４，２７，３１，３６，３８，４１がそれぞれ「開口部」に相当する。
【００４０】
続いて、主寝室２０周辺の構成について図３に基づいて説明する。図３は、主寝室２０周辺を拡大して示す平面図である。
【００４１】
図３に示すように、主寝室２０は、平面視において矩形形状をなしており、その四方が仕切壁４５〜４８により囲まれている。主寝室２０を囲む４つの仕切壁４５〜４８のうち、仕切壁４５が主寝室２０の北側に配置され、仕切壁４６が西側に配置され、仕切壁４７が南側に配置され、仕切壁４８が東側に配置されている。なお、これら各仕切壁４５〜４８が「壁部」に相当する。
【００４２】
主寝室２０には、ベッド２０ａが設けられている。ベッド２０ａは、その長さ方向を南北方向（第２方向）に向け、その幅方向を東西方向（第１方向）に向けた状態で主寝室２０に設置されている。詳しくは、ベッド２０ａは、そのベッド２０ａ上で横になる居住者（ユーザ）の頭が北側の仕切壁４５の側を向くように配置されている。
【００４３】
ベッド２０ａは、主寝室２０において東西方向の中間部に配置され、また南北方向においては北寄りに配置されている。詳しくは、ベッド２０ａは、北側の仕切壁４５に隣接（当接）させて配置されている。かかるベッド２０ａの配置状態において、主寝室２０には、ベッド２０ａと各仕切壁４６〜４８との間にそれぞれ人の移動が可能な移動スペースＳが確保されている。
【００４４】
仕切壁４５は、主寝室２０と水廻り空間１６，１７及び通路３４との間に設けられ、主寝室２０と水廻り空間１６，１７及び通路３４とを仕切っている。仕切壁４５には、主寝室２０から通路３４への出入りを可能とする出入口５１が設けられている。出入口５１は、通路３４を挟んでトイレ１５への出入口３６と対向して配置されている。主寝室２０からトイレ１５へ移動する際には、この出入口５１を通じて移動することとなる。したがって、出入口５１が「トイレ側の出入口」に相当する。また、出入口５１には、当該出入口５１を開閉する開閉体５２が設けられている。開閉体５２は開き戸からなる。なお、開閉体５２を開き戸に代えて引き戸としてもよい。また、開閉体５２が第１開閉体に相当する。
【００４５】
仕切壁４６は、主寝室２０とＬＤＫ１３（詳しくはダイニング１３ｂ）との間に設けられ、それら両空間１３，２０を互いに仕切っている。仕切壁４６には、主寝室２０からＬＤＫ１３への出入りを可能とする出入口５３が設けられている。出入口５３には、当該出入口５３を開閉する開閉体５４が設けられている。開閉体５４は、引き違い式で設けられた複数の引き戸５４ａを有する引き違い戸からなる。本実施形態では、開閉体５４（引き違い戸）が２つの引き戸５４ａを有して構成されている。開閉体５４は、その幅Ｌ２（横幅）が開閉体５２の幅Ｌ１よりも大きくされている（Ｌ２＞Ｌ１）。詳しくは、開閉体５４を構成する引き戸５４ａは、その幅が開閉体５２の幅Ｌ１と同じか又はそれよりも大きくされている。なお、この場合、開閉体５４の幅Ｌ２とは、開閉体５４が閉状態とされた場合の開閉体５４全体の幅である。そのため、開閉体５４の幅Ｌ２は出入口５３の開口幅と同じ大きさとなっている。また、開閉体５４が第２開閉体に相当する。
【００４６】
仕切壁４７は、主寝室２０と廊下１２との間に設けられ、それら両空間１２．２０を互いに仕切っている。仕切壁４７には、主寝室２０から廊下１２（詳しくは後述する縁側１２ａ）への出入りを可能とする出入口５５が設けられている。出入口５５には、当該出入口５５を開閉する開閉体５６が設けられている。開閉体５６は、引き違い式で設けられた複数の引き戸５６ａを有する引き違い戸からなる。本実施形態では、開閉体５６（引き違い戸）が４つの引き戸５６ａを有して構成されている。開閉体５６は、その幅Ｌ３が開閉体５２の幅Ｌ１よりも大きくされ、また開閉体５４の幅Ｌ２よりも大きくされている（Ｌ３＞Ｌ１，Ｌ２）。詳しくは、開閉体５６を構成する引き戸５６ａは、その幅が開閉体５２の幅Ｌ１と同じか又はそれよりも大きくされている。なお、この場合、開閉体５６の幅Ｌ３とは、開閉体５６が閉状態とされた場合の開閉体５６全体の幅である。そのため、開閉体５６の幅Ｌ３は出入口５５の開口幅と同じ大きさとなっている。また、開閉体５６が第２開閉体に相当する。
【００４７】
仕切壁４８は、主寝室２０と居室１４との間に設けられ、それら両空間１４，２０を互いに仕切っている。仕切壁４８には、主寝室２０から居室１４への出入りを可能とする出入口５７が設けられている。出入口５７は、主寝室２０を挟んで出入口５３と対向しており、詳しくはベッド２０ａを挟んで出入口５３と対向している。また、出入口５７は、その開口幅が出入口５３の開口幅と同じとされている。
【００４８】
出入口５７には、当該出入口５７を開閉する開閉体５８が設けられている。開閉体５８は、引き違い式で設けられた複数の引き戸５８ａを有する引き違い戸からなる。本実施形態では、開閉体５８（引き違い戸）が２つの引き戸５８ａを有して構成されている。開閉体５８は、その幅Ｌ４が開閉体５４の幅Ｌ２と同じとされている（Ｌ２＝Ｌ４）。したがって、開閉体５８の幅Ｌ４は、開閉体５２の幅Ｌ１よりも大きくされている（Ｌ４＞Ｌ１）。なお、開閉体５８が第２開閉体に相当する。
【００４９】
続いて、廊下１２周辺の構成について説明する。
【００５０】
廊下１２は、仕切壁４７に沿って延びており、その廊下１２を挟んで仕切壁４７とは反対側には外壁部６１が設けられている。外壁部６１は、廊下１２を挟んで仕切壁４７と対向しており、その外壁部６１には、廊下１２と屋外とを連通する開口部６２が設けられている。開口部６２は、その下端が廊下１２の床面と同じ高さ位置に設定されている。この場合、開口部６２を介して屋外と廊下１２との間の出入りが可能となっている。また、開口部６２は、廊下１２を挟んで仕切壁４７の出入口５５と対向しており、その開口幅が出入口５５の開口幅と略同じとなっている。
【００５１】
廊下１２において開口部６２と隣接する空間は縁側１２ａ（詳しくは広縁）となっている。これにより、縁側１２ａの床上に腰掛けたりすることが可能となっている。なお、縁側１２ａが縁側空間に相当する。また、開口部６２には、当該開口部６２を開閉する開閉体６３が設けられている。開閉体６３は、両開き式（観音開き式）の一対の折り戸６３ａを有して構成されている。
【００５２】
住宅１０には、開口部６２の幅方向（縁側１２ａの延びる方向）において当該開口部６２を挟んだ両側に開口部６２（換言すると縁側１２ａ）よりも屋外側に張り出した一対の張出部６５，６６が設けられている（図１も参照）。この場合、これら各張出部６５，６６の間には、それら各張出部６５，６６と外壁部６１とにより三方が囲まれた凹状空間６８が形成されている。この凹状空間６８は、縁側１２ａの南側に隣接しており、この凹状空間６８と縁側１２ａ（廊下１２）とが開口部６２を介して連通されている。また、凹状空間６８は、その上方が屋根の軒部（図示略）により覆われた軒下空間となっている。また、凹状空間６８は、車両Ｃを駐車する駐車スペース６９の一部を構成している。なお、凹状空間６８は、屋根により覆われることでいわゆる半屋外空間となっているが、凹状空間６８を屋根により覆わず屋外空間としてもよい。
【００５３】
各張出部６５，６６のうち、張出部６５が凹状空間６８に対して東側に、張出部６６が凹状空間６８に対して西側に配置されている。張出部６５の内部には玄関１１が形成され、張出部６６の内部にはＬＤＫ３３（詳しくはリビング３３ａ）の一部が形成されている。
【００５４】
以上、詳述した本実施形態の構成によれば、以下の優れた効果が得られる。
【００５５】
主寝室２０の四方を囲む各仕切壁４５〜４８にそれぞれ隣接空間（具体的には、通路３４、ＬＤＫ１３、廊下１２（詳しくは縁側１２ａ）、居室１４）に通じる出入口５１，５３，５５，５７が設けられているため、それら各出入口５１，５３，５５，５７を通じて主寝室２０から他の屋内空間へ移動することが可能となる。これにより、高齢者である居住者が主寝室２０からいずれの屋内空間へ移動する際にも、移動負担を低減することが可能となる。そのため、居住者の移動負担を大いに低減させることができる。また、主寝室２０の４面に出入口５１，５３，５５，５７が設けられているため、主寝室２０にいる居住者に他の屋内空間にいる居住者等とのつながりを感じさせ易くすることができる。これにより、主寝室２０にいる居住者に隔離された感覚を抱かせてしまうのを抑制することができる。
【００５６】
主寝室２０の各出入口５１，５３，５５，５７に設けられた開閉体５２，５４，５６，５８のうち、トイレ１５側の開閉体５２（第１開閉体）については、その幅Ｌ１が他の開閉体５４，５６，５８（第２開閉体）の幅Ｌ２〜Ｌ４よりも小さくされている。この場合、主寝室２０の四方に開閉体５２，５４，５６，５８が設けられた構成にあって、トイレ１５側の開閉体５２を見分け易くすることができる。そのため、高齢者である居住者が主寝室２０からトイレ１５へ移動する際、誤って別の開閉体５４，５６，５８を開け閉めしてしまう事態を生じにくくすることができる。
【００５７】
トイレ１５側の開閉体５２が開き戸からなり、その他の開閉体５４，５６，５８が引き違い戸からなるため、トイレ１５側の開閉体５２をより一層見分け易くすることができる。
【００５８】
また、その他の開閉体５４，５６，５８が引き違い戸からなるため、トイレ１５側の出入口５１以外の各出入口５３，５５，５７については引き違い戸を開くことで幅広の開口とすることができる。これにより、主寝室２０にいる居住者（高齢者）はその幅広の開口を通じて隣接空間１２ａ．１３，１４の様子を確認し易くなるため、その居住者に隔離された感覚を抱かせてしまうのをより一層抑制することができる。
【００５９】
さらに、主寝室２０の三面に幅広の開口を形成することで、主寝室２０とＬＤＫ１３と居室１４と廊下１２とを一体化した大空間を形成することもできる。
【００６０】
ベッド２０ａ上で横になる居住者の頭の側にトイレ１５側の出入口５１が設けられた仕切壁４５があるため、ベッド２０ａ上で横になる居住者の左右両側及び足下側にはそれぞれ幅広の他の出入口５３，５５，５７が配置される。この場合、居住者がベッド２０ａ上で横になった状態で上記幅広の出入口５３，５５，５７を通じて３方の隣接空間１２ａ．１３，１４の様子を確認することが可能となる。そのため、居住者が寝たきり状態等になっても居住者に隔離された感覚を抱かせてしまうのを抑制することができる。
【００６１】
また、ベッド２０ａの左右幅方向における主寝室２０を挟んだ両側にそれぞれＬＤＫ１３及び居室１４が設けられているため、居住者はベッド２０ａ上で横になったまま幅広の出入口５３，５７を通じて左右の居室空間１３，１４を見ることができる。つまり、この場合、他の居住者等が滞在する居室空間１３，１４の様子を横になったまま見ることができる。そのため、居住者が寝たきり状態等になっても、他の居住者等とのつながりを感じさせ易くすることができる。
【００６２】
主寝室２０に隣接する隣接空間として、主寝室２０とは反対側で屋外に隣接する縁側１２ａが設けられている。主寝室２０と縁側１２ａとは出入口５５を介して通じているため、この場合、主寝室２０で過ごす居住者の友人や知人等が訪れた際には、その友人等が縁側１２ａの床上に腰掛けた状態で居住者と会話等することが可能となる。これにより、居住者が主寝室２０で横になったままでも、友人等とのコミュニケーションを好適に図ることが可能となる。
【００６３】
また、縁側１２ａの延びる方向（換言すると第１方向）において主寝室２０を挟んだ両側にあるＬＤＫ１３及び居室１４には縁側１２ａを通じて行き来が可能となっている。この場合、主寝室２０を経由せずにそれら各隣接空間１３，１４の間を行き来することができるため、主寝室２０で過ごす居住者以外の者（例えば他の居住者や訪問客等）は主寝室２０で過ごす居住者に迷惑をかけることなく上記各隣接空間１３，１４の間を移動することができる。
【００６４】
縁側１２ａの延びる方向において当該縁側１２ａを挟んだ両側に当該縁側１２ａよりも屋外側に張り出した一対の張出部６５，６６が設けられている。この場合、それら張出部６５，６６により、屋外から開口部６２及び出入口５５を介した主寝室２０への視線を遮ることできる。これにより、主寝室２０にいる居住者は一定のプライバシ性を確保しながら友人等とコミュニケーションを図ることが可能となる。
【００６５】
主寝室２０を囲むようにして複数の寝室周囲空間１１〜１８，３４が設けられ、それら各寝室周囲空間１１〜１８，３４には、隣り合う寝室周囲空間の間の開口部２４，２７，３１，３６，３８，４１を通じて相互に行き来することが可能となっている。この場合、主寝室２０で過ごす居住者以外の者がいずれの寝室周囲空間１１〜１８，３４に移動する際にも、主寝室２０を経由せずに移動することができるため、主寝室２０にいる居住者に迷惑をかけることなく各寝室周囲空間１１〜１８，３４に移動することができる。
【００６６】
各水廻り空間１５〜１７（トイレ１５、洗面室１６及び浴室１７）が東西方向（換言すると第１方向）に並んで（隣接して）配置されているため、主寝室２０で過ごす居住者が各水廻り空間１５〜１７へ移動する際の移動負担を低減させることができる。
【００６７】
居室１４がゲストルームとなっているため、居住者の子供夫婦が訪れた際に子供夫婦を寝泊まりさせることができる。また、将来的に居住者が寝たきりになる等、介護を受ける必要が生じた場合に、居住者を介護する介護者を居室１４に寝泊まりさせることもできる。
【００６８】
縁側１２ａ（廊下１２）が駐車スペース６９に隣接しているため、車両Ｃで買い物した後、車両Ｃを駐車スペース６９に駐車すれば、買い物した品物を車両Ｃから廊下１２内（住宅１０内）に開口部６２を通じて運び入れることができる。また、廊下１２はＬＤＫ１３に通じているため、廊下１２からキッチン１３ｃへ上記品物を運ぶことができる。これにより、車両Ｃで買い物した品物を住宅１０内に運び入れる上で好都合となっている。
【００６９】
本発明は上記実施形態に限らず、例えば次のように実施されてもよい。
【００７０】
（１）住宅１０の間取りは必ずしも上記実施形態で説明した間取りとする必要はなく、他の間取りとしてもよい。そこで、他の間取りの例を図４に基づいて説明する。図４に示す住宅７０は、その平面視における略中央部に主寝室７１を備える。住宅７０は、その主寝室７１周辺の構成が上記実施形態の住宅１０と一部相違しており、それ以外の構成については住宅１０と同じとなっている。そこで、以下においては、住宅１０と相違する構成についてのみ説明を行い、住宅１０と同じ構成については同じ符号を付してその説明を省略する。
【００７１】
図４に示すように、住宅７０において、主寝室７１は、上記実施形態の住宅１０における主寝室２０と縁側１２ａとを連続させた空間として形成されている。すなわち、上記実施形態の住宅１０では、主寝室２０と縁側１２ａとの間に仕切壁４７が設けられていたが、本例の住宅７０ではその仕切壁４７が設けられておらず、そのため、主寝室７１が縁側７１ａを含んだ状態で形成されている。
【００７２】
主寝室７１は、その四方に設けられた各仕切壁のうち、三方の仕切壁が上記実施形態の住宅１０と同じ仕切壁４５，４６，４８となっており、残りの一方の仕切壁が外壁部６１となっている。この場合、これら各仕切壁４５，４６，４８及び外壁部６１がそれぞれ「壁部」に相当する。
【００７３】
外壁部６１には、開閉体６３により開閉される開口部６２が設けられ、主寝室７１において開口部６２に隣接した空間部が縁側部７１ａ（広縁部）とされている。これにより、居住者の友人等が訪れた際には、その友人等はこの縁側部７１ａで腰掛けながら居住者と会話等することが可能となる。そのため、居住者が主寝室７１（ベッド）で横になった状態でも、友人等とのコミュニケーションを好適に図ることが可能となる。
【００７４】
主寝室７１を挟んで対向する各仕切壁４６，４８は外壁部６１まで延在しており、それら各仕切壁４６，４８の外壁部６１寄りにはそれぞれ出入口７３，７４が設けられている。出入口７３は仕切壁４６に設けられ、この出入口７３を通じて主寝室７１とＬＤＫ１３（詳しくはリビング１３ａ）との間の出入りが可能となっている。また、出入口７４は仕切壁７８に設けられ、この出入口７４を通じて主寝室７１と玄関１１との間の出入りが可能となっている。また、各出入口７３，７４にはそれぞれ開き戸からなる開閉体７５，７６が設けられている。
【００７５】
かかる構成では、玄関１１からＬＤＫ１３（リビング１３ａ）へ移動する際には必ず主寝室７１を経由して移動する必要がある。そのため、居住者が主寝室７１で寝たきりになった場合に、その居住者が他の居住者等とコミュニケーションを図る上で好都合な構成とすることができる。
【００７６】
また、上記の構成において、主寝室７１の四方を囲む各壁部４５，４６，４８，６１のうち、仕切壁４５には出入口５１が設けられ、仕切壁４６には出入口５３，７３が設けられ、外壁部６１には開口部６２が設けられ、仕切壁４８には出入口５７，７４が設けられている。したがって、この場合にも、主寝室７１を囲む各壁部４５，４６，４８，６１にそれぞれ隣接空間への出入口が設けられているため、それにより、上記実施形態と同様の効果を得ることができる。なお、本例では、主寝室７１と外壁部６１を隔てて隣接する隣接空間が凹状空間６８とされている。
【００７７】
また、本例の住宅７０では、各仕切壁４６，４８にそれぞれ出入口が２つずつ設けられ、それにより主寝室７１の周囲に計６つの出入口５１，５３，７３，６２，５７，７４が設けられている。このため、居住者が主寝室７１から他の空間へ移動するに際し、さらに移動負荷の低減を図ることができる。また、主寝室７１にいる居住者に隔離された感覚を抱かせてしまうのをより一層抑制することができる。
【００７８】
（２）上記実施形態では、主寝室２０に隣接する隣接空間として、屋外に隣接する縁側１２ａ（廊下１２）を設けたが、必ずしも隣接空間として縁側１２ａを設ける必要はない。例えば、廊下１２を挟んで主寝室２０とは反対側に居室等を設けてもよい。
【００７９】
また、上記実施形態では、主寝室２０を挟んだ両側にＬＤＫ１３及び居室１４（すなわち居室空間１３，１４）を設けたが、これを変更して、これら各居室空間１３，１４のうち少なくともいずれか一方を廊下等の非居室空間としてもよい。
【００８０】
（３）上記実施形態では、寝室２０の四方の各出入口５１，５３，５５，５７のうち、トイレ１５側の出入口５１に設けた開閉体５２（第１開閉体に相当）を、他の出入口５３，５５，５７に設けた開閉体５４，５６，５８（第２開閉体に相当）よりも小幅とした。換言すると、第２開閉体５４，５６，５８の幅を第１開閉体５２の幅よりも大きくしたが、これを変更してもよい。例えば、各第２開閉体５４，５６，５８のうち、いずれかの第２開閉体の幅を第１開閉体５２の幅と同じとしてもよい。その場合、その第２開閉体を第１開閉体と同じく開き戸としたり、又は（一の）引き戸としたりすることが考えられる。
【００８１】
（４）主寝室２０におけるベッド２０ａの向きは必ずしも上記実施形態の向きとする必要はない。例えば、ベッド２０ａを、その長さ方向が東西方向（第１方向）となる向きで主寝室２０に配置してもよい。また、主寝室２０には必ずしもベッド２０ａを設置する必要はなく、主寝室２０の床上に直接寝具を敷いてもよい。
【００８２】
（５）上記実施形態では、主寝室２０とトイレ１５との間に通路３４が設けられていたが、主寝室２０の北側にトイレ１５を隣接させ、主寝室２０とトイレ１５とを仕切壁により仕切るようにしてもよい。そして、その仕切壁に主寝室２０からトイレ１５への出入口を設けるようにしてもよい。その場合、主寝室２０からトイレ１５への行き来を上記実施形態よりも容易とすることができる。なお、この場合、上記出入口が「トイレ側の出入口」に相当し、トイレ１５が「隣接空間」に相当する。
【００８３】
また、この場合、上記出入口に設ける開閉体（第１開閉体に相当）は、上記実施形態と同様、開き戸とすることが考えられる。そうすれば、トイレ１５側の当該開閉体を他の開閉体５４，５６，５８（第２開閉体）よりも小幅とすることができ、他の開閉体５４，５６，５８に対して見分け易くすることができる。
【００８４】
（６）上記実施形態では、平屋建ての住宅１０に本発明を適用したが、二階建てや三階建ての住宅等、多層階建ての住宅に本発明を適用してもよい。また、戸建ての住宅以外に、複数の住戸を備えるマンションやアパート等の集合住宅に本発明を適用してもよい。要するに、寝室を備える住宅であれば、本発明を適用することが可能である。
【符号の説明】
【００８５】
１０…住宅、１２…廊下、１２ａ…隣接空間及び縁側空間としての縁側、１３…隣接空間及び居室空間としてのＬＤＫ、１４…隣接空間及び居室空間としての居室、２０…寝室としての主寝室、２０ａ…ベッド、３４…隣接空間としての通路、４５〜４８…壁部としての仕切壁、５１…出入口、５２…第１開閉体としての開閉体、５３…出入口、５４…第２開閉体としての開閉体、５５…出入口、５６…第２開閉体としての開閉体、５７…出入口、５８…第２開閉体としての開閉体、６５…張出部、６６…張出部。
【図１】
2018178649.tif 000003
【図２】
2018178649.tif 000004
【図３】
2018178649.tif 000005
【図４】
2018178649.tif 000006